【手続補正書】
【提出日】平成17年3月10日(2005.3.10)
【手続補正１】
【補正対象書類名】明細書
【補正対象項目名】特許請求の範囲
【補正方法】変更
【補正の内容】
【特許請求の範囲】
【請求項１】
印刷すべき文書の各種設定を行うための情報処理方法であって、
使用する印刷装置を指定する指定工程と、
前記印刷装置の機能に制限せずに、前記文書に対する印刷設定項目を設定すべく、任意の印刷設定項目を選択項目として有効にする第１のモードと、前記任意の印刷設定項目の内、前記指定工程で指定された印刷装置が制御可能な印刷設定項目を選択項目として有効にする第２のモードのいずれかを設定するモード設定工程と、
前記モード設定工程で設定されたモードに基づいて、選択項目として有効にする印刷設定項目を判断する判断工程と、
を有することを特徴とする情報処理方法。
【請求項２】
前記判断工程で選択される印刷設定項目と、選択されない印刷設定項目とを異なる形態で表示する表示制御工程を更に有することを特徴とする請求項１に記載の情報処理方法。
【請求項３】
前記モード切替工程で前記第１のモードに設定されている場合に、前記任意の印刷設定項目の内、前記指定工程で指定された印刷装置が制御できない印刷設定項目を判断する工程と、
当該印刷装置が制御できない印刷設定項目を表示する工程と
を更に有することを特徴とする請求項１又は２に記載の情報処理方法。
【請求項４】
前記モード切替工程で前記第１のモードから前記第２のモードに切り換えられた場合に、前記任意の印刷設定項目の内、前記指定工程で指定された印刷装置が制御できない印刷設定項目を判断する工程と、
前記指定された印刷装置が制御できないと判断された当該印刷設定項目を表示する工程と
を更に有することを特徴とする請求項１乃至３のいずれかに記載の情報処理方法。
【請求項５】
前記指定工程で使用する印刷装置が変更された場合に、前記任意の印刷設定項目の内、変更後の印刷装置が制御できない印刷設定項目を判断する工程と、
変更後の印刷装置が制御できないと判断された当該印刷設定項目を表示する工程と
を更に有することを特徴とする請求項２乃至４のいずれかに記載の情報処理方法。
【請求項６】
前記印刷設定項目を異なる状態に設定した複数の設定組み合わせを保持手段に保持しておき、
前記指定工程で指定された印刷装置及び／又は前記モード切替工程で設定されたモードに基づいて、前記複数の設定組み合わせの内、選択可能な設定組み合わせを判断する組み合わせ判断工程を更に有し、
前記組み合わせ判断工程により判断された選択可能な設定組み合わせと、選択できない設定組み合わせとを異なる形態で表示することを特徴とする請求項１乃至５のいずれかに記載の情報処理方法。
【請求項７】
前記モード切替工程で前記第２のモードに設定されている場合に、前記複数の設定組み合わせの内、前記指定工程で指定された印刷装置が制御できない印刷設定項目を含まない設定組み合わせを判断する工程と、
当該設定組み合わせを表示する工程と
を更に有することを特徴とする請求項６に記載の情報処理方法。
【請求項８】
前記モード切替工程で前記第１のモードから前記第２のモードに切り換えられた場合に、前記複数の設定組み合わせの内、前記指定工程で指定された印刷装置が制御できない印刷設定項目を含まない設定組み合わせを判断する工程と、
前記印刷装置が制御できないと判断された当該設定組み合わせを非表示にし、印刷装置が制御できると判断された当該設定組み合わせを表示する工程と
を更に有することを特徴とする請求項６又は７に記載の情報処理方法。
【請求項９】
前記指定工程で使用する印刷装置が変更された場合に、前記複数の設定組み合わせの内、変更後の印刷装置が制御できない印刷設定項目を含まない設定組み合わせを判断する工程と、
変更後の印刷装置が制御できないと判断された当該設定組み合わせを非表示にし、印刷装置が制御できると判断された当該設定組み合わせを表示する工程と
を更に有することを特徴とする請求項６乃至８のいずれかに記載の情報処理方法。
【請求項１０】
前記判断工程で選択された印刷設定項目に設定された内容に基づいて文書を編集可能に制御する制御工程を更に有することを特徴とする請求項１乃至９のいずれかに記載の情報処理方法。
【請求項１１】
印刷すべき文書の各種設定を行う情報処理装置であって、
使用する印刷装置を指定する指定手段と、
前記印刷装置の機能に制限せずに、前記文書に対する印刷設定項目を設定すべく、任意の印刷設定項目を選択項目として有効にする第１のモードと、前記任意の印刷設定項目の内、前記指定手段により指定された印刷装置が制御可能な印刷設定項目を選択項目として有効にする第２のモードのいずれかを設定するモード切替手段と、
前記モード切替手段により設定されたモードに基づいて、選択項目として有効にする印刷設定項目を判断する判断手段と
を有することを特徴とする情報処理装置。
【請求項１２】
前記判断手段により選択される印刷設定項目と、選択されない印刷設定項目とを異なる形態で表示する表示制御手段を更に有することを特徴とする請求項１１に記載の情報処理装置。
【請求項１３】
前記モード切替手段により前記第１のモードに設定されている場合に、前記任意の印刷設定項目の内、前記指定手段により指定された印刷装置が制御できない印刷設定項目を判断する手段と、
当該印刷装置が制御できない印刷設定項目を表示する手段と
を更に有することを特徴とする請求項１１に記載の情報処理装置。
【請求項１４】
前記モード切替手段により前記第１のモードから前記第２のモードに切り換えられた場合に、前記任意の印刷設定項目の内、前記指定手段により指定された印刷装置が制御できない印刷設定項目を判断する手段と、
前記指定された印刷装置が制御できないと判断された当該印刷設定項目を表示する手段と
を更に有することを特徴とする請求項１１又は１２に記載の情報処理装置。
【請求項１５】
前記指定手段により、使用する印刷装置が変更された場合に、前記任意の印刷設定項目の内、変更後の印刷装置が制御できない印刷設定項目を判断する手段と、
前記変更後の印刷装置が制御できないと判断された当該印刷設定項目を表示する手段と
を更に有することを特徴とする請求項１１乃至１４のいずれかに記載の情報処理装置。
【請求項１６】
前記印刷設定項目を異なる状態に設定した複数の設定組み合わせを保持手段に保持しておき、
前記指定手段により指定された印刷装置及び／又は前記モード切替手段により設定されたモードに基づいて、前記複数の設定組み合わせの内、選択可能な設定組み合わせを判断する組み合わせ判断手段を更に有し、
前記組み合わせ判断手段により判断された選択可能な設定組み合わせと、選択できない設定組み合わせとを異なる形態で表示することを特徴とする請求項１１乃至１４のいずれかに記載の情報処理装置。
【請求項１７】
前記モード切替手段により前記第２のモードに設定されている場合に、前記複数の設定組み合わせの内、前記指定手段により指定された印刷装置が制御できない印刷設定項目を含まない設定組み合わせを判断する手段と、
当該設定組み合わせを表示する手段と
を更に有することを特徴とする請求項１６に記載の情報処理装置。
【請求項１８】
前記モード切替手段により前記第１のモードから前記第２のモードに切り換えられた場合に、前記複数の設定組み合わせの内、前記指定手段により指定された印刷装置が制御できない印刷設定項目を含まない設定組み合わせを判断する工程と、
前記印刷装置が制御できないと判断された当該設定組み合わせを非表示にし、印刷装置が制御できると判断された当該設定組み合わせを表示する手段と
を更に有することを特徴とする請求項１６又は１７に記載の情報処理装置。
【請求項１９】
前記指定手段により、使用する印刷装置が変更された場合に、前記複数の設定組み合わせの内、変更後の印刷装置が制御できない印刷設定項目を含まない設定組み合わせを判断する手段と、
変更後の印刷装置が制御できないと判断された当該設定組み合わせを非表示にし、印刷装置が制御できると判断された当該設定組み合わせを表示する手段と
を更に有することを特徴とする請求項１６乃至１８のいずれかに記載の情報処理装置。
【請求項２０】
前記判断手段により選択された印刷設定項目に設定された内容に基づいて文書を編集可能に制御する制御手段を更に有することを特徴とする請求項１１乃至１９のいずれかに記載の情報処理装置。
【請求項２１】
請求項１乃至１０のいずれかに記載の制御方法を実現するためのプログラムコードを有する情報処理装置が実行可能なプログラム。
【請求項２２】
情報処理装置が実行可能なプログラムであって、前記プログラムを実行した情報処理装置を、請求項１１乃至２０のいずれかに記載の情報処理装置として機能させることを特徴とするプログラム。
【請求項２３】
請求項２１又は２２に記載のプログラムを記憶した記憶媒体。
【請求項２４】
印刷すべき文書の各種設定を行うための情報処理方法であって、
特定の印刷装置の機能に制限せずに、前記文書に対する印刷設定項目を設定すべく、任意の印刷設定項目を設定可能に表示する表示制御工程と、
前記文書の印刷を行うべき印刷装置を指定する指定工程と、
前記指定工程で指定された印刷装置で使用できない印刷設定項目を警告表示する警告表示工程と
を有することを特徴とする情報処理方法。
【請求項２５】
前記任意の印刷設定項目を選択項目として有効にする非機能限定モードと、前記任意の印刷設定項目のうち、前記指定工程で指定された印刷装置で使用可能な印刷設定項目を選択項目として有効にする機能限定モードのいずれかを設定するモード切替工程とを更に有することを特徴とする請求項２４に記載の情報処理方法。
【請求項２６】
前記表示制御工程では、前記機能限定モードが設定されている場合に、前記指定工程で指定された印刷装置で使用可能な印刷設定項目と、前記印刷装置で使用できない印刷設定項目とを異なる形態で表示することを特徴とする請求項２５に記載の情報処理方法。
【請求項２７】
前記モード切替工程で前記機能非限定モードから前記機能限定モードに切り換えられた場合に、前記任意の印刷設定項目の内、前記指定工程で指定された印刷装置で使用できない印刷設定項目を判断する判断工程を更に有し、
前記警告表示工程は、前記判断工程で印刷装置で使用できないと判断された当該印刷設定項目を表示することを特徴とする請求項２５に記載の情報処理方法。
【請求項２８】
前記指定工程において使用する印刷装置が変更された場合に、前記任意の印刷設定項目の内、変更後の印刷装置で使用できない印刷設定項目を判断する判断工程を更に有し、
前記警告表示工程は、前記判断工程で変更後の印刷装置で使用できないと判断された当該印刷設定項目を表示することを特徴とする請求項２５に記載の情報処理方法。
【請求項２９】
前記表示制御工程で設定可能に表示された印刷設定項目で設定された内容に基づいて、前記文書を編集可能に制御する制御工程を更に有することを特徴とする請求項２４乃至２８のいずれかに記載の情報処理方法。
【請求項３０】
印刷すべき文書の各種設定を行うための情報処理装置であって、
特定の印刷装置の機能に制限せずに、前記文書に対する印刷設定項目を設定すべく、任意の印刷設定項目を設定可能に表示する表示制御手段と、
前記文書の印刷を行うべき印刷装置を指定する指定手段と、
前記指定手段により指定された印刷装置で使用できない印刷設定項目を警告表示する警告表示手段と
を有することを特徴とする情報処理装置。
【請求項３１】
前記任意の印刷設定項目を選択項目として有効にする非機能限定モードと、前記任意の印刷設定項目のうち、前記指定手段により指定された印刷装置で使用可能な印刷設定項目を選択項目として有効にする機能限定モードのいずれかを設定するモード切替手段とを更に有することを特徴とする請求項３０に記載の情報処理装置。
【請求項３２】
前記表示制御手段は、前記機能限定モードが設定されている場合に、前記指定手段により指定された印刷装置で使用可能な印刷設定項目と、前記印刷装置で使用できない印刷設定項目とを異なる形態で表示することを特徴とする請求項３１に記載の情報処理装置。
【請求項３３】
前記モード切替手段で前記機能非限定モードから前記機能限定モードに切り換えられた場合に、前記任意の印刷設定項目の内、前記指定手段により指定された印刷装置で使用できない印刷設定項目を判断する判断手段を更に有し、
前記警告表示手段は、前記判断手段により印刷装置で使用できないと判断された当該印刷設定項目を表示することを特徴とする請求項３２に記載の情報処理装置。
【請求項３４】
前記指定手段により使用する印刷装置が変更された場合に、前記任意の印刷設定項目の内、変更後の印刷装置で使用できない印刷設定項目を判断する判断手段を更に有し、
前記警告表示手段は、前記判断手段で変更後の印刷装置で使用できないと判断された当該印刷設定項目を表示することを特徴とする請求項３１に記載の情報処理装置。
【請求項３５】
前記表示制御手段で設定可能に表示された印刷設定項目で設定された内容に基づいて、前記文書を編集可能に制御する制御手段を更に有することを特徴とする請求項３０乃至３４のいずれかに記載の情報処理装置。
【手続補正２】
【補正対象書類名】明細書
【補正対象項目名】００１９
【補正方法】変更
【補正の内容】
【００１９】
【課題を解決するための手段】
上記目的を達成するために、印刷すべき文書の各種設定を行うための本発明の情報処理方法は、使用する印刷装置を指定する指定工程と、前記印刷装置の機能に制限せずに、前記文書に対する印刷設定項目を設定すべく、任意の印刷設定項目を選択項目として有効にする第１のモードと、前記任意の印刷設定項目の内、前記指定工程で指定された印刷装置が制御可能な印刷設定項目を選択項目として有効にする第２のモードのいずれかを設定するモード設定工程と、前記モード設定工程で設定されたモードに基づいて、選択項目として有効にする印刷設定項目を判断する判断工程と、を有する。
【手続補正３】
【補正対象書類名】明細書
【補正対象項目名】００２０
【補正方法】変更
【補正の内容】
【００２０】
本発明の好適な一様態によれば、前記判断工程で選択される印刷設定項目と、選択されない印刷設定項目とを異なる形態で表示する表示制御工程を更に有する。
【手続補正４】
【補正対象書類名】明細書
【補正対象項目名】００２１
【補正方法】変更
【補正の内容】
【００２１】
好ましくは、前記モード切替工程で前記第１のモードに設定されている場合に、前記任意の印刷設定項目の内、前記指定工程で指定された印刷装置が制御できない印刷設定項目を判断する工程と、当該印刷装置が制御できない印刷設定項目を表示する工程とを更に有する。
【手続補正５】
【補正対象書類名】明細書
【補正対象項目名】００２２
【補正方法】変更
【補正の内容】
【００２２】
更に好ましくは、前記モード切替工程で前記第１のモードから前記第２のモードに切り換えられた場合に、前記任意の印刷設定項目の内、前記指定工程で指定された印刷装置が制御できない印刷設定項目を判断する工程と、前記指定された印刷装置が制御できないと判断された当該印刷設定項目を表示する工程とを更に有する。
【手続補正６】
【補正対象書類名】明細書
【補正対象項目名】００２３
【補正方法】変更
【補正の内容】
【００２３】
また、更に好ましくは、前記指定工程で使用する印刷装置が変更された場合に、前記任意の印刷設定項目の内、変更後の印刷装置が制御できない印刷設定項目を判断する工程と、変更後の印刷装置が制御できないと判断された当該印刷設定項目を表示する工程とを更に有する。
【手続補正７】
【補正対象書類名】明細書
【補正対象項目名】００２４
【補正方法】変更
【補正の内容】
【００２４】
また、更に好ましくは、前記印刷設定項目を異なる状態に設定した複数の設定組み合わせを保持手段に保持しておき、前記指定工程で指定された印刷装置及び／又は前記モード切替工程で設定されたモードに基づいて、前記複数の設定組み合わせの内、選択可能な設定組み合わせを判断する組み合わせ判断工程を更に有し、前記組み合わせ判断工程により判断された選択可能な設定組み合わせと、選択できない設定組み合わせとを異なる形態で表示する。
【手続補正８】
【補正対象書類名】明細書
【補正対象項目名】００２５
【補正方法】変更
【補正の内容】
【００２５】
また、更に好ましくは、前記モード切替工程で前記第２のモードに設定されている場合に、前記複数の設定組み合わせの内、前記指定工程で指定された印刷装置が制御できない印刷設定項目を含まない設定組み合わせを判断する工程と、当該設定組み合わせを表示する工程とを更に有する。
【手続補正９】
【補正対象書類名】明細書
【補正対象項目名】００２６
【補正方法】変更
【補正の内容】
【００２６】
また、更に好ましくは、前記モード切替工程で前記第１のモードから前記第２のモードに切り換えられた場合に、前記複数の設定組み合わせの内、前記指定工程で指定された印刷装置が制御できない印刷設定項目を含まない設定組み合わせを判断する工程と、前記印刷装置が制御できないと判断された当該設定組み合わせを非表示にし、印刷装置が制御できると判断された当該設定組み合わせを表示する工程とを更に有する。
【手続補正１０】
【補正対象書類名】明細書
【補正対象項目名】００２７
【補正方法】変更
【補正の内容】
【００２７】
また、更に好ましくは、前記指定工程で使用する印刷装置が変更された場合に、前記複数の設定組み合わせの内、変更後の印刷装置が制御できない印刷設定項目を含まない設定組み合わせを判断する工程と、変更後の印刷装置が制御できないと判断された当該設定組み合わせを非表示にし、印刷装置が制御できると判断された当該設定組み合わせを表示する工程とを更に有する。
【手続補正１１】
【補正対象書類名】明細書
【補正対象項目名】００２８
【補正方法】変更
【補正の内容】
【００２８】
また、更に好ましくは、前記判断工程で選択された印刷設定項目に設定された内容に基づいて文書を編集可能に制御する制御工程を更に有する。
【手続補正１２】
【補正対象書類名】明細書
【補正対象項目名】００２９
【補正方法】変更
【補正の内容】
【００２９】
また、上記目的を達成するために、印刷すべき文書の各種設定を行う情報処理装置であって、使用する印刷装置を指定する指定手段と、前記印刷装置の機能に制限せずに、前記文書に対する印刷設定項目を設定すべく、任意の印刷設定項目を選択項目として有効にする第１のモードと、前記任意の印刷設定項目の内、前記指定手段により指定された印刷装置が制御可能な印刷設定項目を選択項目として有効にする第２のモードのいずれかを設定するモード切替手段と、前記モード切替手段により設定されたモードに基づいて、選択項目として有効にする印刷設定項目を判断する判断手段とを有する。
【手続補正１３】
【補正対象書類名】明細書
【補正対象項目名】００３０
【補正方法】変更
【補正の内容】
【００３０】
本発明の好適な一様態によれば、前記判断手段により選択される印刷設定項目と、選択されない印刷設定項目とを異なる形態で表示する表示制御手段を更に有する。
【手続補正１４】
【補正対象書類名】明細書
【補正対象項目名】００３１
【補正方法】変更
【補正の内容】
【００３１】
好ましくは、前記モード切替手段により前記第１のモードに設定されている場合に、前記任意の印刷設定項目の内、前記指定手段により指定された印刷装置が制御できない印刷設定項目を判断する手段と、当該印刷装置が制御できない印刷設定項目を表示する手段とを更に有する。
【手続補正１５】
【補正対象書類名】明細書
【補正対象項目名】００３２
【補正方法】変更
【補正の内容】
【００３２】
更に好ましくは、前記モード切替手段により前記第１のモードから前記第２のモードに切り換えられた場合に、前記任意の印刷設定項目の内、前記指定手段により指定された印刷装置が制御できない印刷設定項目を判断する手段と、前記指定された印刷装置が制御できないと判断された当該印刷設定項目を表示する手段とを更に有する。
【手続補正１６】
【補正対象書類名】明細書
【補正対象項目名】００３３
【補正方法】変更
【補正の内容】
【００３３】
また、更に好ましくは、前記指定手段により、使用する印刷装置が変更された場合に、前記任意の印刷設定項目の内、変更後の印刷装置が制御できない印刷設定項目を判断する手段と、前記変更後の印刷装置が制御できないと判断された当該印刷設定項目を表示する手段とを更に有する。
【手続補正１７】
【補正対象書類名】明細書
【補正対象項目名】００３４
【補正方法】変更
【補正の内容】
【００３４】
また、更に好ましくは、前記印刷設定項目を異なる状態に設定した複数の設定組み合わせを保持手段に保持しておき、前記指定手段により指定された印刷装置及び／又は前記モード切替手段により設定されたモードに基づいて、前記複数の設定組み合わせの内、選択可能な設定組み合わせを判断する組み合わせ判断手段を更に有し、前記組み合わせ判断手段により判断された選択可能な設定組み合わせと、選択できない設定組み合わせとを異なる形態で表示する。
【手続補正１８】
【補正対象書類名】明細書
【補正対象項目名】００３５
【補正方法】変更
【補正の内容】
【００３５】
また、更に好ましくは、前記モード切替手段により前記第２のモードに設定されている場合に、前記複数の設定組み合わせの内、前記指定手段により指定された印刷装置が制御できない印刷設定項目を含まない設定組み合わせを判断する手段と、当該設定組み合わせを表示する手段とを更に有する。
【手続補正１９】
【補正対象書類名】明細書
【補正対象項目名】００３６
【補正方法】変更
【補正の内容】
【００３６】
また、更に好ましくは、前記モード切替手段により前記第１のモードから前記第２のモードに切り換えられた場合に、前記複数の設定組み合わせの内、前記指定手段により指定された印刷装置が制御できない印刷設定項目を含まない設定組み合わせを判断する工程と、前記印刷装置が制御できないと判断された当該設定組み合わせを非表示にし、印刷装置が制御できると判断された当該設定組み合わせを表示する手段とを更に有する。
【手続補正２０】
【補正対象書類名】明細書
【補正対象項目名】００３７
【補正方法】変更
【補正の内容】
【００３７】
また、更に好ましくは、前記指定手段により、使用する印刷装置が変更された場合に、前記複数の設定組み合わせの内、変更後の印刷装置が制御できない印刷設定項目を含まない設定組み合わせを判断する手段と、変更後の印刷装置が制御できないと判断された当該設定組み合わせを非表示にし、印刷装置が制御できると判断された当該設定組み合わせを表示する手段とを更に有する。
また、更に好ましくは、前記判断手段により選択された設定項目に設定された内容に基づいて文書を編集可能に制御する制御手段を更に有する。
また、上記目的を達成するために、別の構成によれば、印刷すべき文書の各種設定を行うための本発明の情報処理方法は、特定の印刷装置の機能に制限せずに、前記文書に対する印刷設定項目を設定すべく、任意の印刷設定項目を設定可能に表示する表示制御工程と、前記文書の印刷を行うべき印刷装置を指定する指定工程と、前記指定工程で指定された印刷装置で使用できない印刷設定項目を警告表示する警告表示工程とを有する。
また、印刷すべき文書の各種設定を行うための本発明の情報処理装置は、特定の印刷装置の機能に制限せずに、前記文書に対する印刷設定項目を設定すべく、任意の印刷設定項目を設定可能に表示する表示制御手段と、前記文書の印刷を行うべき印刷装置を指定する指定手段と、前記指定手段により指定された印刷装置で使用できない印刷設定項目を警告表示する警告表示手段とを有する。
【手続補正２１】
【補正対象書類名】明細書
【補正対象項目名】００３９
【補正方法】変更
【補正の内容】
【００３９】
さらに、特定の印刷装置に対して作成した指示を、他の印刷装置で印刷出力する時に使用する、あるいは最終的に出力する印刷装置の情報が無い環境で、任意の印刷装置で出力するための指示を作成する場合には、実現できない指示を予め指示作成者に通知することが可能となる。